(57)【要約】【課題】  屈曲嵌合縁部に検討を加えて、密封性を改良すると共に、閉蓋はもちろんのこと、開封も容易な密封容器を提供する。【解決手段】  容器に蓋を被せて嵌合縁部で密閉する構造の密封容器において、容器１及び蓋２の屈曲嵌合縁部３における少なくとも口縁側を略Ｓ字状に屈曲させ、口縁側1a,2aと外縁側1b,2bとの間の天井部1c,2cを丸く形成し、容器及び蓋の屈曲嵌合縁部の外縁外周に広幅のツバ部1d,2dを形成し、容器及び蓋の材質をポリエステル樹脂とした。【選択図】  図１
2005138909.tif 000002
【特許請求の範囲】
【請求項１】
容器に蓋を被せて嵌合縁部で密閉する構造の密封容器において、容器及び蓋の屈曲嵌合縁部における少なくとも口縁側を略Ｓ字状に屈曲させ、容器及び蓋の屈曲嵌合縁部における口縁側と外縁側との間の天井部を丸く形成したことを特徴とする密封容器。
【請求項２】
容器に蓋を被せて嵌合縁部で密閉する構造の密封容器において、容器及び蓋の屈曲嵌合縁部における少なくとも口縁側を略Ｓ字状に屈曲させ、容器及び蓋の屈曲嵌合縁部における口縁側と外縁側との間の天井部を丸く形成するとともに、容器及び蓋の屈曲嵌合縁部の外縁外周に広幅のツバ部を形成したことを特徴とする密封容器。
【請求項３】
容器に蓋を被せて嵌合縁部で密閉する構造の密封容器において、ともにポリエステル樹脂シート材で成形される容器及び蓋の屈曲嵌合縁部における少なくとも口縁側を略Ｓ字状に屈曲させ、容器及び蓋の屈曲嵌合縁部における口縁側と外縁側との間の天井部を丸く形成するとともに、容器及び蓋の屈曲嵌合縁部の外縁外周に広幅のツバ部を形成したことを特徴とする密封容器。
【発明の詳細な説明】
【技術分野】
【０００１】
本発明は、容器と蓋とからなり、食品等の雑菌の侵入を抑えたり、液体内容物が外部に洩れるのを防止する密封容器に関するものである。
【背景技術】
【０００２】
食料品の中でも特に水分の多い惣菜、汁もの等は容器と蓋との密封性(気密性)を高める必要がある。図４は従来の密封容器の一例である。容器10と蓋11との密封性を高めるために、容器10と蓋11との外周部に屈曲嵌合縁部12がある。この屈曲嵌合縁部12は、容器10と蓋11の強度を高める意味もあって、伏せコ字状断面で環状に形成されている。通常は抜き勾配により屈曲嵌合縁部12の入り口側が開き勝手のテーパーとなっている。容器10も蓋11も口縁側壁面10a,11aと外縁側壁面10b,11b及び、口縁側と外縁側の間の天井部10c,11cが平面であるから、いずれの壁面も一様に密着することは少ない。嵌合時の嵌め合い具合によって密着する部分としない部分が生じる。そこで、内容物の汁ものが洩れたりするケースが見られる。特開平8-244811号で提案されている図５に示すような口縁側壁面10aの勾配を入り口側が従来よりも更に大きく形成されたものもみられるが、嵌合時の嵌め合い易さを改良したもので、密封性の改善に寄与する点が明確ではない。
【０００３】
容器と蓋との外周部に設けられた屈曲嵌合縁部の密封性改善については、上記公知例以外にも特開平7-132953号、特開平7-206020号、特開平8-80959号等がみられる。いずれも屈曲嵌合縁部を形成している口縁側壁面と外縁側壁面及び上部壁面が平面となっている。
【０００４】
【特許文献１】特開平８−２４４８１１号公報
【特許文献２】特開平７−１３２９５３号公報
【特許文献３】特開平７−２０６０２０号公報
【特許文献４】特開平８−８０９５９号公報
【発明の開示】
【発明が解決しようとする課題】
【０００５】
本発明は密封容器における屈曲嵌合縁部に更に検討を加えて、密封性を改良すると共に、閉蓋はもちろんのこと、開封も容易な密封容器を提供しようとするものである。
【課題を解決するための手段】
【０００６】
上記課題を検討した結果、まず請求項１に記載した発明では、容器に蓋を被せて嵌合縁部で密閉する構造の密封容器において、容器及び蓋の屈曲嵌合縁部における少なくとも口縁側を略Ｓ字状に屈曲させ、容器及び蓋の屈曲嵌合縁部における口縁側と外縁側との間の天井部を丸く形成した構造とした。
【０００７】
ここにいう少なくともとは、容器及び蓋の屈曲嵌合縁部の口縁側以外に外縁側も略Ｓ字状に屈曲させることを含むということである。略Ｓ字状に屈曲させると、蓋を嵌めるときに滑り込み易いし、密封性が良くなると共に、蓋が自然に外れることもなくなる。また、丸く形成することで容器及び蓋の密着性が平面同士よりも高まる。特に、蓋の屈曲嵌合縁部の天井部の曲率半径を容器のそれよりもやや小にすることで密着性がより良好となる。
【０００８】
さらに請求項２に記載した発明では、屈曲嵌合縁部における口縁側を略Ｓ字状に屈曲させ、口縁側と外縁側との間を丸く形成した前記容器及び蓋の屈曲嵌合縁部の外縁外周に広幅のツバ部を形成したのである。
【０００９】
このような構造に加えて容器及び蓋の材質をポリエステル(ＰＥＴ，ポリエチレンテレフタレートが特に好ましい)樹脂にすると、樹脂に粘着性があって、容器と蓋の樹脂同士の密着性が高まる。また、ＰＥＴ樹脂特有の軟らかい性質から生じる閉蓋時の蓋の外縁側が内方へ入り込むのをツバ部を設けたことにより防止でき閉蓋が円滑に行なえる。もちろん、ポリプロピレン(ＰＰ)やポリエチレン(ＰＥ)その他の合成樹脂製のものもＰＥＴ同様に扱えるが、製品形態、再利用や再生可能な点からＰＥＴが最もよい。容器の外径と蓋の外径を同径にすることによって、運搬時に密封容器同士が接触しても蓋が外れる事態を防ぐことができる。
【００１０】
上記構造に加えて、容器又は蓋の屈曲嵌合縁部の密接部に撥水剤を有するようにしてもよい。成形時に口縁側を略Ｓ字状に屈曲させたり、口縁側と外縁側との間を丸く形成した場合でも、多少の成形ムラが生じることが考えられる。また、設計の都合上で完全にＳ字状でない近似した形状とする場合もあり、屈曲嵌合縁部の密接具合が、要求した性能を満足しないときに密接部へ撥水剤が存在すると、内容物の液洩れを防止することができる。ポリプロピレンやポリエチレン、ポリカーボネートなど容器と蓋の屈曲嵌合縁部の樹脂同士の密着性がＰＥＴ樹脂ほどにはよくないものに撥水剤を用いると効果的である。
【００１１】
用いる撥水剤については公知のものの殆どを使用できるが、内容物が食品であることが予測される密封容器では、人体に無害の撥水剤が用いられる。撥水剤を例示すると、パラフィン系、シリコーン系、高級脂肪酸エステル系等の非水溶性撥水化合物、植物油等の撥水性の油脂である。これらの撥水剤は密封容器を形成する合成樹脂中に含ませてもよいし、成形時の離型剤と混ぜるか、離型剤と共用してもよい。更に、成形後に塗装してもよい。
【発明の効果】
【００１２】
密封容器を以上のような構造としたので、屈曲嵌合縁部の密封性が非常によくなった。加えて、屈曲嵌合縁部が全周にわたって丸みを持ち、デザイン性をも高めることができた。ツバ部は閉蓋時の嵌め込みを容易にし、開蓋時のつまみとなり、取扱いが容易になった。更に、蓋、容器共にＰＥＴ樹脂製とし、更に容器又は蓋の屈曲嵌合縁部の密接部に撥水剤を有する構造とすれば、嵌め合い易く、密封性も改善され、製品品質が向上し、再使用、再生が容易なエコ製品となる。
【発明を実施するための最良の形態】
【００１３】
以下、図面に基づいて本発明に係る密封容器を詳細に説明する。図１は本発明の密封容器の開蓋状態の一部破断正面図である。図２は容器と蓋の屈曲嵌合縁部の拡大断面図である。図３は容器に蓋をして嵌め合わせた屈曲嵌合縁部の拡大断面図である。例示した本発明の密封容器はＰＥＴ樹脂製の円形の容器１にこれも円形のＰＥＴ樹脂製蓋２を被せて、周縁部を屈曲させて逆溝状に形成された屈曲嵌合縁部３で密閉する構造のものである。大きさは種々あるが、この場合直径100mm、深さ40mmである。このような密封容器において、容器１及び蓋２の屈曲嵌合縁部３における口縁側1a,2aを略Ｓ字状に屈曲させている。この例では外縁側1b,2bも略Ｓ字状に屈曲させている。容器１及び蓋２の屈曲嵌合縁部壁面をこのようにＳ字状同士の密接状態にすると容器の密封性が非常に高くなる。
【００１４】
本発明では更に、このような密封容器において、容器１及び蓋２の屈曲嵌合縁部３における口縁側と外縁側との間の天井部1c,2cを丸く形成している。その際に蓋側の内側Ｒを容器の外側Ｒよりもやや小さくして、蓋の屈曲嵌合縁部が容器の嵌合縁部を抱くようにしている。このことによって、更に容器の密封性を高めることが可能となった。
【００１５】
加えて、容器１及び蓋２の屈曲嵌合縁部３の外縁外周に広幅のツバ部1d,2dを形成している。ツバ部の幅は1.5mmである。この広幅のツバ部1d,2dも容器１に蓋２を被せて屈曲嵌合縁部３を嵌合すると、ツバ部1d,2d同士が全周にわたって密着するので、更に容器の密封性を高めることが可能であるし、外縁側2bが折れ込むこともない。
【００１６】
前記実施例と同様な形状の密封容器をポリプロピレン素材シートからプレスすることにより形成した。その際にシート表面に薄く液状パラフィンワックスを塗装した後、プレスした。その結果、従来のポリプロピレン製のみの密封容器に比べて、密封性を改良すると共に、閉蓋はもちろんのこと、開封も容易な密封容器となった。
【図面の簡単な説明】
【００１７】
【図１】本発明の密封容器の開蓋状態の一部破断正面図である。
【図２】容器と蓋の屈曲嵌合縁部の拡大断面図である。
【図３】容器に蓋をして嵌め合わせた屈曲嵌合縁部の拡大断面図である。
【図４】従来の密封容器の断面図である。
【図５】従来の屈曲嵌合縁部の一例を示す拡大断面図である。
【符号の説明】
【００１８】
１    容器
１ａ  口縁側
１ｂ  外縁側
１ｃ  天井部
２    蓋
１ｄ  ツバ部
２ａ  口縁側
２ｂ  外縁側
２ｃ  天井部
２ｄ  ツバ部
３    屈曲嵌合縁部
【図１】
2005138909.tif 000003
【図２】
2005138909.tif 000004
【図３】
2005138909.tif 000005
【図４】
2005138909.tif 000006
【図５】
2005138909.tif 000007